(57)【要約】【課題】第一屋根材上に施工される第二屋根材の下地となる下地材の強度低下を抑制し、かつ下地材を取付具に対して取り付けやすい屋根構造および取付具を提供することを目的とする。【解決手段】第一屋根材１１、突出部１２３、取付具３、下地材４、および第二屋根材２１を備える。突出部１２３は、第一屋根材１１から上方に突出する。取付具３は、第一屋根材１１上に配置される。下地材４は、第一屋根材１１上に配置され、取付具３を介して突出部１２３に取り付けられる。第二屋根材２１は、下地材４上に配置され、下地材４に取り付けられる。取付具３は、第一部材３１と、第二部材３２とを備える。第一部材３１は、突出部１２３に取り付けられる。第二部材３２は、下地材４の下側に取り付けられる。第二部材３２は、被固着部３３０を備える。被固着部３３０は、下地材４の下方から下地材４よりも外側に突出する。被固着部３３０は、第一部材３１に固着される。【選択図】図４
2017155496.tif 000002
【特許請求の範囲】
【請求項１】
第一屋根材と、
前記第一屋根材から上方に突出した突出部と、
前記第一屋根材上に配置された取付具と、
前記第一屋根材上に配置され、前記取付具を介して前記突出部に取り付けられた下地材と、
前記下地材上に配置され、前記下地材に取り付けられた第二屋根材とを備え、
前記取付具は、
前記突出部に取り付けられた第一部材と、
前記下地材の下側に取り付けられた第二部材とを備え、
前記第二部材は、
前記下地材の下方から前記下地材よりも外側に突出した被固着部を備え、
前記被固着部は、前記第一部材に固着されたことを特徴とする屋根構造。
【請求項２】
前記被固着部に、上下方向に貫通した貫通孔が形成され、
前記第一部材に、上方に突出した雄ねじ部が設けられ、
前記雄ねじ部は前記貫通孔に挿通され、
前記雄ねじ部の前記被固着部より上方に突出した部分に、ナットが螺合され、このナットにより前記被固着部が前記第一部材に締結されたことを特徴とする請求項１に記載の屋根構造。
【請求項３】
前記下地材はリップ溝形鋼であり、
前記下地材は、当該下地材の一対のリップ部の間に形成された溝開口を下方に向けて配置され、
前記第二部材は、
一対の嵌合溝を備え、
前記第二部材は前記下地材の内側に嵌合され、
前記一対のリップ部は、前記一対の嵌合溝に上下方向の移動が規制された状態で嵌合されたことを特徴とする請求項１または請求項２に記載の屋根構造。
【請求項４】
前記第二部材は、
前記溝開口から前記下地材の内側に挿入可能であり、かつ前記下地材の内側に挿入した状態で上下軸回り方向に回転可能であり、
前記第二部材の向きは、前記溝開口から前記下地材の内側に挿入可能な向きから上下軸回り方向に９０度回転した向きであることを特徴とする請求項３に記載の屋根構造。
【請求項５】
前記突出部は、前記第一屋根材を当該第一屋根材の下方に位置する構造材に固定するためのボルトで構成され、
前記第一部材に、
上下方向に貫通した取付孔と、
前記取付孔の周縁部における対向する２箇所から前記取付孔の内側に向かって突出した一対の係止片とが形成され、
前記取付孔に前記ボルトが通されており、前記一対の係止片の各々の先端部が前記ボルトのねじ溝に係合したことを特徴とする請求項１〜４のいずれか１項に記載の屋根構造。
【請求項６】
第一屋根材の上方に重ねて配置される第二屋根材の下地材を、前記第一屋根材から上方に突出した突出部に取り付けるための取付具であって、
前記突出部に取り付けられる第一部材と、
前記下地材の下側に取り付けられる第二部材とを備え、
前記第二部材は、
前記下地材に取り付けられた状態において、前記下地材の下方から前記下地材よりも外側に突出し、前記第一部材に固着される被固着部を備えたことを特徴とする取付具。
【発明の詳細な説明】
【技術分野】
【０００１】
本発明は、屋根構造、および取付具に関する。
【背景技術】
【０００２】
特許文献１には、既存折板屋根の改修構造が開示されている。この改修構造では、既存折板屋根の上に新規屋根が形成されている。新規屋根は、固定金具、下母屋材、上母屋材、および新規屋根材を用いて形成されている。固定金具は、既存折板屋根の山部に取り付けられている。下母屋材は固定金具上に配置され、固定金具に固定されている。下母屋材の上には、上母屋材が固定されており、上母屋材の上に新規屋根材が固定されている。
【先行技術文献】
【特許文献】
【０００３】
【特許文献１】特開２００８−２３１６８５号公報
【発明の概要】
【発明が解決しようとする課題】
【０００４】
ところで、上記新規屋根材の下地となる下母屋材は、既存折板屋根に取り付けられた固定金具に対して、以下のように固定される。固定金具の上面に突設されたボルト部を、下母屋材に上下に貫通させながら、固定金具の上に下母屋材を載置し、下母屋材から上方に突出したボルトにナットを螺合することで、下母屋材と固定金具とを固定する。しかし、この改修構造にあっては、下母屋材にボルト部を通すための孔を形成する必要があり、この孔によって新規屋根材を支える下母屋材の強度が低下する可能性がある。また、作業者が下母屋材にボルト部を上下に貫通させるときには、ボルト部が下母屋材によって隠れやすく、ボルト部を下母屋材に形成された孔に通し難い。
【０００５】
本発明は前記事情に鑑みてなされたものであって、第一屋根材上に施工される第二屋根材の下地となる下地材の強度低下を抑制し、かつ下地材を取付具に対して取り付けやすい屋根構造および取付具を提供することを目的とする。
【課題を解決するための手段】
【０００６】
前記目的を達成するために本発明の屋根構造は、第一屋根材、突出部、取付具、下地材、および第二屋根材を備える。突出部は、第一屋根材から上方に突出する。取付具は、第一屋根材上に配置される。下地材は、第一屋根材上に配置され、取付具を介して突出部に取り付けられる。第二屋根材は、下地材上に配置され、下地材に取り付けられる。取付具は、第一部材と、第二部材とを備える。第一部材は、突出部に取り付けられる。第二部材は、下地材の下側に取り付けられる。第二部材は、下地材の下方から下地材よりも外側に突出した被固着部を備える。被固着部は、第一部材に固着される。
【０００７】
また、本発明の取付具は、第一屋根材の上方に重ねて配置される第二屋根材の下地材を、前記第一屋根材から上方に突出した突出部に取り付けるための取付具である。取付具は、前記突出部に取り付けられる第一部材と、前記下地材の下側に取り付けられる第二部材とを備える。前記第二部材は、前記下地材に取り付けられた状態において、前記下地材の下方から前記下地材よりも外側に突出し、前記第一部材に固着される被固着部を備える。
【発明の効果】
【０００８】
本発明に係る屋根構造および取付具は、第一屋根材上に施工される第二屋根材の下地となる下地材の強度低下を抑制し、かつ下地材を取付具に対して簡単に取り付けることができる。
【図面の簡単な説明】
【０００９】
【図１】図１は、本発明の一実施形態に係る屋根構造の断面図である。
【図２】図２は、図１の要部拡大図である。
【図３】図３は、同上の屋根構造の取付具の分解斜視図である。
【図４】図４は、図２のＡ−Ａ線断面図である。
【図５】図５は、同上の取付具の第二部材を下地材に取り付ける様子を下地材の下面側から見た図である。
【図６】図６は、同上の取付具の第一部材を第一屋根に取り付ける様子を示した断面図である。
【図７】図７は、同上の第二部材を第一部材に取り付ける様子を示した断面図である。
【発明を実施するための形態】
【００１０】
以下に示す実施形態は、屋根構造、および取付具に関し、詳しくは、第一屋根材の上方に配置される第二屋根材の下地材が、第一屋根材に対して取付具によって固定される屋根構造、および取付具に関する。
【００１１】
（屋根構造）
図１に示す本実施形態の屋根構造は、既設の第一屋根１と、第一屋根１を覆う新設の第二屋根２とを備えており、第一屋根１と第二屋根２とで複層屋根が構成されている。
【００１２】
（第一屋根１）
第一屋根１は、複数の構造材１０と、複数のタイトフレーム１２と、複数の第一屋根材１１とを備えている。
【００１３】
複数の第一屋根材１１は、第一屋根１の屋根面を構成する。本実施形態の複数の第一屋根材１１の各々は、断面波形の折板屋根であり、例えばカラー鋼板やステンレス鋼板などの金属板を折り曲げ加工することで形成される。
【００１４】
図２に示すように、各第一屋根材１１には、軒に沿う方向と直交する方向に延びた山部１１０と谷部１１１とが軒に沿う方向に交互に並ぶように連続して形成されている。以下、第一屋根材１１の山部１１０および谷部１１１の延びる方向を前後方向とし、平面視で前後方向と直交する方向を左右方向として説明する。
【００１５】
山部１１０の頂部１１２および谷部１１１の底部は、構造材１０の上面と平行な平板状に形成されている。山部１１０の左右方向における両側の側壁部は、谷部１１１の両側の側壁部を兼ねている。山部１１０の両側壁部の各々は、山部１１０の頂部１１２および谷部１１１の底部に対して傾斜した板状に形成されている。
【００１６】
複数の構造材１０は、前後方向に並んでいる。複数の構造材１０の各々は、左右方向に延びた長尺部材である。本実施形態の各構造材１０は、母屋であってＨ形鋼から形成されている。
【００１７】
各構造材１０の平坦な上面には、１乃至複数のタイトフレーム１２が配置されている。タイトフレーム１２は、断面波形であって、第一屋根材１１の断面とほぼ同形の断面形状である。
【００１８】
タイトフレーム１２には、山部１２０と谷部１２１とが交互に繰り返して形成されている。タイトフレーム１２は、例えば亜鉛めっき鋼板やステンレス鋼板などの矩形の金属板を折り曲げ加工することで形成される。タイトフレーム１２の山部１２０の頂部には、溶接などにより上方に突出した剣先ボルト１２２が設けられている。
【００１９】
（第一屋根１の施工）
第一屋根１は例えば以下のように施工される。まず、作業者は、各構造材１０の上に、タイトフレーム１２を配置し、タイトフレーム１２をボルトなどを用いて対応する構造材１０に取り付ける。これにより、複数の構造材１０と複数のタイトフレーム１２とで構成された、第一屋根材１１の下地が形成される。
【００２０】
次に、作業者は、複数のタイトフレーム１２に複数の第一屋根材１１を取り付ける。各第一屋根材１１を複数のタイトフレーム１２に取り付けるには、作業者は、まず、各タイトフレーム１２から上方に突出した剣先ボルト１２２を、第一屋根材１１の対応する山部１１０の頂部１１２に貫通させながら、第一屋根材１１を対応する複数の第一タイトフレーム１２に上側から被せる。そして、作業者は、第一屋根材１１の山部１１０の頂部１１２から上方に突出した剣先ボルト１２２に、パッキン１３およびワッシャー１４を通してナット１５を螺合する。これにより、第一屋根材１１は、複数の第一タイトフレーム１２の山部１１０の頂部１１２と、複数のナット１５とで挟まれ、第一屋根材１１と複数の第一タイトフレーム１２とが締結される。
【００２１】
このように第一屋根材１１が複数のタイトフレーム１２を介して複数の構造材１０に取り付けられた状態では、第一タイトフレーム１２の剣先ボルト１２２の先端側部分は、ナット１５よりも上方に突出する。すなわち、第一屋根１には、第一屋根材１１の山部１１０の頂部１１２から上方に突出した複数の剣先ボルト１２２によってそれぞれ構成された複数の突出部１２３が設けられている。
【００２２】
（第二屋根２）
第二屋根２は、第一屋根１上に葺かれている。図１に示すように、本実施形態の第二屋根２は、複数の取付具３と、複数の下地材４と、複数のタイトフレーム２２と、複数の吊子２３と、複数の第二屋根材２１とを備えている。以下、第一屋根１のタイトフレーム１２を第一タイトフレーム１２といい、第二屋根２のタイトフレーム２２を第２タイトフレーム２２という。
【００２３】
複数の第二屋根材２１は、第二屋根２の屋根面を構成している。本実施形態の複数の第二屋根材２１の各々は、断面波形の折板屋根であり、前後方向に延びた山部２１０と谷部２１１とが左右方向に交互に並ぶように連続して形成されている。各第二屋根材２１は、例えばカラー鋼板やステンレス鋼板などの金属板を折り曲げ加工することで形成される。
【００２４】
（取付具）
各第１屋根材１１の上には、複数の取付具３が配置されている。各取付具３は例えばステンレス製の金具である。各第１屋根材１１において、複数の取付具３が複数の突出部１２３（剣先ボルト１２２）にそれぞれ取り付けられている。
【００２５】
各取付具３は、図３に示すように、第一部材３１と、第二部材３２とを備えている。図４に示すように、第一部材３１は対応する突出部１２３に取り付けられ、第二部材３２は第一部材３１の上方に配置されている。
【００２６】
（第一部材３１）
第一部材３１は、溝形鋼から形成されており、図３に示すように、横板部３１０、一対の縦板部３１１、一対の突出板部３１２、および一対の雄ねじ部３１３を備えている。
【００２７】
横板部３１０は、第一屋根材１１の山部１１０の頂部１１２と平行であり、前後方向に長い矩形板状に形成されている。
【００２８】
一対の縦板部３１１は、横板部３１０の幅方向における両側端部からそれぞれ下方に向かって突出している。一対の縦板部３１１の各々は、矩形で前後方向に対して垂直な板状に形成されている。
【００２９】
横板部３１０の長手方向の両側部分には、下方に突出した一対の突出板部３１２がそれぞれ形成されている。一対の突出板部３１２の各々は、左右方向に垂直な板状に形成されている。一対の突出板部３１２は、左右方向に離間しており、互いに対向している。
【００３０】
図４に示すように、各突出板部３１２の下端面は、対応する第一屋根材１１の頂部１１２の平坦な上面に接している。これにより、第一部材３１は第一屋根材１１に載置されている。
【００３１】
図３及び図４に示すように、横板部３１０において、一対の突出板部３１２の間に対応する部分には、上下方向に貫通した取付孔３１４が設けられている。
【００３２】
本実施形態の取付孔３１４は、挿通孔３１５と係止孔３４０とで構成されている。横板部３１０には、上下方向に貫通した挿通孔３１５が形成されている。横板部３１０には、横板部３１０の上面に沿った係止板３４がリベットなどにより固定されている。係止板３４において挿通孔３１５に対応する部分には、上下方向に貫通した係止孔３４０が形成されている。係止孔３４０は挿通孔３１５に通じている。
【００３３】
係止板３４の係止孔３４０の周縁部において係止孔３４０を挟んで対向する２箇所には、一対の係止片３４１がそれぞれ形成されている。
【００３４】
各係止片３４１は係止孔３４０の内側に向かって突出している。各係止片３４１は、先端（挿通孔３１５の中心）に近い部分ほど上方に位置するように傾斜している。各係止片３４１の厚みは、横板部３１０の厚みよりも小さい。このため、各係止片３４１は横板部３１０よりも弾性変形しやすい。
【００３５】
図４に示すように、取付孔３１４には、対応する突出部１２３（剣先ボルト１２２のナット１５よりも上方に突出した部分）が挿通されている。一対の係止片３４１の先端は、対応する突出部１２３のねじ溝に係合されている。
【００３６】
一対の突出板部３１２の間には、対応するパッキン１３およびワッシャー１４が配置されている。また、挿通孔３１５には、対応するナット１５が配置されている。
【００３７】
横板部３１０の長手方向の両側端部には、第二部材３２が固着されている。すなわち、横板部３１０の長手方向の両側端部の各々は、第二部材３２が固着される固着部３１６を構成している。各固着部３１６と第二部材３２とは、後述する固着具（ナット）３５によって固着されている。
【００３８】
両固着部３１６は、横板部３１０の長手方向において一対の突出板部３１２よりも外側に位置している。各固着部３１６には、横板部３１０から上方に突出した棒状の雄ねじ部３１３が設けられている。各雄ねじ部３１３はリベットなどにより対応する固着部３１６に固定されている。
【００３９】
（下地材４）
複数の下地材４は、各第一屋根材１１の上方において前後方向に並んでいる。複数の下地材４の各々は、左右方向に延びた長尺部材である。
【００４０】
各下地材４は、リップ溝形鋼から形成されている。各下地材４は、上片部４０と、上片部４０の両側端部からそれぞれ下方に向かって突出した一対の側片部４１と、一対の側片部４１の下端部からそれぞれ内側方に向かって突出した一対のリップ部４２とを備えている。各下地材４は、一対のリップ部４２の間に形成された溝開口４３を下に向けた状態で配置されている。
【００４１】
（第二部材３２）
第二部材３２は、溝形鋼から形成されており、図３に示すように、左右対称形状である。第二部材３２は、横片部３２０、一対の縦片部３２１、および一対の嵌込片部３２２を備えている。横片部３２０は、前後方向に長い矩形状で、第一部材３１の横板部３１０と平行な板状に形成されている。
【００４２】
一対の縦片部３２１は、横片部３２０の幅方向における両側端部からそれぞれ下方に向かって突出している。一対の縦片部３２１の各々は、矩形で前後方向に垂直な板状に形成されている。
【００４３】
横片部３２０において第一部材３１の取付孔３１４に対応する部分には、上下方向に貫通した開口部３２３が形成されている。開口部３２３は平面視矩形状の孔である。
【００４４】
一対の嵌込片部３２２は、横板部３１０において開口部３２３の左右両側の縁部からそれぞれ上方に向かって突出している。
【００４５】
一対の嵌込片部３２２の各々は、前後方向に垂直な板状に形成されている。一対の嵌込片部３２２は、左右方向に離間して並んでおり、互いに対向している。
【００４６】
各嵌込片部３２２は、下端部よりも上方の部分が当該下端部よりも前後方向における外側に向かって突出した突片部３２４となっている。
【００４７】
各嵌込片部３２２の前側の突片部３２４と横板部３１０との間には、前方に開口した前側溝３２５が形成されており、これら一対の前側溝３２５により前方に開口した嵌合溝３２７が構成されている。嵌合溝３２７の溝幅は、後方に近い部分ほど小さくなっている。
【００４８】
各嵌込片部３２２の突片部３２４と横板部３１０との間には、後方に開口した後側溝３２６が形成されており、これら一対の後側溝３２６により後方に開口した嵌合溝３２８が構成されている。嵌合溝３２８の溝幅は、前方に近い部分ほど小さくなっている。
【００４９】
図４に示すように、第二部材３２の各嵌込片部３２２の前後長さ（前側の突片部３２４の前端から後側の突片部３２４の後端までの距離）Ｌ１は、下地材４の溝開口４３の前後幅Ｗよりも大きい。第二部材３２の一対の嵌込片部３２２は、下地材４の内側に嵌合されている。なお、一対の嵌込片部３２２と下地材４とは、密着した状態で嵌まり合ってもよいし、わずかな隙間を介して嵌まり合ってもよい。これにより、下地材４の第二部材３２に対する上下方向および左右方向の移動が規制されている。
【００５０】
第二部材３２の前側の嵌合溝３２７（一対の前側溝３２５）には、下地材４の前側のリップ部４２が嵌め込まれ、かつ第二部材３２の後側の嵌合溝３２８（一対の後側溝３２６）には、下地材４の後側のリップ部４２が嵌め込まれている。これにより、下地材４の第二部材３２に対する上下方向の移動が規制されている。
【００５１】
第二部材３２の図２に示す一対の嵌込片部３２２の左右方向の外法寸法Ｌ２は、下地材４の溝開口４３の前後幅Ｗよりも小さい。このため、第二部材３２は、図５に二点鎖線で示すように、横片部３２０の長手方向を下地材４の長手方向と平行にしたときには、一対の嵌込片部３２２を下地材４の溝開口４３から下地材４の内側に挿入可能である。すなわち、第二部材３２は、一対の嵌込片部３２２を溝開口４３から下地材４の内側に挿入可能な向きから、上下軸回り方向に９０度回転した方向を向いて配置されている。また、第二部材３２は、一対の嵌込片部３２２を下地材４の内側に挿入した状態において、上下軸回り方向に回転可能である。ここで、上下軸回り方向とは、上下方向（下地材４の長手方向および幅方向に直交する方向）と平行な回転軸を中心に回転する方向を意味する。
【００５２】
図２に示すように、第二部材３２には、下方に開口した嵌込溝３２９が形成されている。嵌込溝３２９は、横片部３２０と一対の縦片部３２１とで構成されている。嵌込溝３２９には、第一部材３１の横板部３１０と一対の縦板部３１１とで構成された嵌込部３１７が嵌め込まれており、横片部３２０は横板部３１０に載置されている。また、図４に示すように、下地材４の一対のリップ部４２は、横片部３２０に載置されている。
【００５３】
図４に示すように、横片部３２０の前後方向の両側端部は、下地材４の下側において下地材４よりも前後方向における外側に向かって突出している。これら、横片部３２０の前後方向の両側端部は、固着具３５を用いて第一部材３１の両固着部３１６にそれぞれ固着されている。すなわち、横片部３２０の前後方向の両側端部の各々は、第一部材３１に固着される被固着部３３０を構成している。前述した開口部３２３および一対の嵌込片部３２２は、横片部３２０において両被固着部３３０の間に位置する部分に形成されている。両被固着部３３０は、下地材４の下方（真下）から左右方向の外側に向かって突出している。すなわち、両被固着部３３０は、平面視で下地材４よりも左右方向の外側に向かって突出している。
【００５４】
両被固着部３３０には、一対の貫通孔３３１がそれぞれ形成されている。一対の貫通孔３３１の各々は、被固着部３３０を上下方向に貫通している。図３に示すように、各貫通孔３３１は、前後方向に延びた長孔である。
【００５５】
一対の貫通孔３３１には、図４に示すように、第一部材３１の一対の雄ねじ部３１３がそれぞれ挿通されている。一対の雄ねじ部３１３の各々は、被固着部３３０よりも上方に突出している。各雄ねじ部３１３の被固着部３３０よりも上方に突出した部分には、ワッシャー３６が通され、かつ固着具３５であるナットが螺合されている。一対の被固着部３３０の各々は、対応する固着具（ナット）３５と、対応する固着部３１６とで上下に挟まれている。
【００５６】
各下地材４は、少なくとも長手方向における１箇所が、固着具や溶接などにより取付具３に固定されている。これにより、下地材４の取付具３に対する前後方向の移動が規制されている。
【００５７】
（第２タイトフレーム２２および吊子２３）
図２に示す各下地材４上には、１乃至複数の第２タイトフレーム２２が設けられている。第２タイトフレーム２２は、断面波形であって、第二屋根材２１の断面とほぼ同形の断面形状である。
【００５８】
第２タイトフレーム２２には、吊子２３が設けられている。複数の第二屋根材２１は、複数の吊子２３に、はぜ折りにより接合されている。
【００５９】
（第二屋根２の施工）
第二屋根２は例えば以下のように施工される。まず、作業者は、各第一屋根１に複数の取付具３の第一部材３１を取り付ける。第一部材３１を第一屋根１に取り付けるには、作業者は、図６に示すように、第一部材３１を第一屋根材１１の山部１１０の頂部１１２に被せ、図２および図４に示すように、第一屋根材１１から上方に突出した突出部１２３（剣先ボルト１２２）を第一部材３１の取付孔３１４に挿通すると共に、一対の突出板部３１２を第一屋根材１１の頂部１１２に載置する。これにより、第一部材３１の一対の係止片３４１の先端は、突出部１２３（剣先ボルト１２２）のねじ溝に食い込んで係合され、第一部材３１が第一屋根１に対して固定される。
【００６０】
次に作業者は、各第二屋根材２１を複数の下地材４に取り付ける。第二部材３２を下地材４に取り付けるには、作業者は、まず、第二部材３２を、図５に二点破線で示すように横片部３２０の長手方向を下地材４の長手方向と平行にし（一対の嵌込片部３２２の対向方向を下地材４の幅方向と平行にし）、この後、一対の嵌込片部３２２を下地材４の溝開口４３から下地材４の内側に挿入する。続いて作業者は、図５に示すように、第二部材３２を上下軸回り方向に９０度回転する。これにより、図４に示すように、第二部材３２の各嵌合溝３２７，３２８に、下地材４の対応するリップ部４２が嵌め込まれて、第二部材３２が下地材４の下側に取り付けられる。なお、各嵌合溝３２７，３２８と対応するリップ部４２は、密着した状態で嵌まり合ってもよいし、わずかな隙間を介して嵌まり合ってもよい。
【００６１】
次に作業者は、下地材４に取り付けられた複数の第二部材３２を、第一屋根１上に設けられた複数の第一部材３１に取り付けることで、各下地材４を第一屋根１に対して固定する。
【００６２】
下地材４に取り付けられた第二部材３２を第一部材３１に取り付けるには、作業者は、まず、図７に示すように、第二部材３２を下地材４と共に下方に移動し、図４に示すように、第二部材３２の一対の貫通孔３３１に第一部材３１の一対の雄ねじ部３１３を通し、かつ第一部材３１の取付孔３１４から上方に突出した突出部１２３（剣先ボルト１２３）を第二部材３２の開口部３２３に通し、第二部材３２の横片部３２０を第一部材３１の横板部３１０に載置する。これにより、図２に示すように、第二部材３２の横片部３２０と一対の縦片部３２１とで構成された下方に開口する嵌込溝３２９に、第一部材３１の横板部３１０と一対の縦板部３１１とで構成された嵌込部３１７が嵌め込まれて、第二部材３２の第一部材３１に対する左右方向の移動が規制される。
【００６３】
図３に示すように、第二部材３２の一対の貫通孔３３１は、前後方向に延びた長孔であるため、一対の貫通孔３３１に一対の雄ねじ部３１３を通した状態で、第二部材３２の第一部材３１に対する前後方向の位置を微調整できる。このため、例えば施工誤差などによって、左右方向に並ぶ複数の取付具３の第一部材３１同士の前後位置が多少ずれたとしても、下地材４を複数の取付具３を用いて第一屋根１に固定することが可能になる。
【００６４】
次に作業者は、第二部材３２の横片部３２０から上方に突出した一対の雄ねじ部３１３にワッシャー３６を通しかつ固着具３５であるナットを螺合し、これにより、第二部材３２を第一部材３１に締結する。
【００６５】
そして、作業者は、下地材４の長手方向における少なくとも１箇所を固着具や溶接などにより取付具に固定する。これにより、下地材４が取付具３を介して第一屋根１の複数の突出部１２３（剣先ボルト１２２）に取り付けられる。
【００６６】
次に作業者は、図１に示すように、各下地材４上に、複数の第２タイトフレーム２２を左右方向に並べて配置し、これら複数の第２タイトフレーム２２をボルトなどを用いて対応する下地材４に取り付ける。また、この際、作業者は各第２タイトフレーム２２に吊子２３を取り付ける。これにより、複数の取付具３、複数の下地材４、複数の第２タイトフレーム２２、および複数の吊子２３で構成された、第二屋根材２１の下地が形成される。
【００６７】
そして作業者は、各第二屋根材２１を、複数の吊子２３に、はぜ折りにより接合する。これにより、第二屋根２が形成される。
【００６８】
上記のように第二屋根２を施工することで、既存の第一屋根１を新たな第二屋根２で覆って改修できる。ここで、本実施形態の屋根構造にあっては、第二屋根材２１が下地材４を介して第一屋根材１１上に設けられている。このため、第二屋根材２１として、第一屋根材１１の形状と一致しない形状の屋根材も施工できる。
【００６９】
（応用例）
上記実施形態の第一屋根材１１および第二屋根材２１は、折板屋根であるが、他の金属屋根や、スレート屋根であってもよい。
【００７０】
上記実施形態の第一屋根材１１から突出した突出部１２３は、第一タイトフレーム１２に設けられた剣先ボルト１２２の一部であるが、例えば第一屋根材１１を構造材１０に固定するためのフックボルトの一部などであってもよい。また、突出部１２３は、第一屋根材１１を構造材１０に固定するためのボルトに限られず、例えば構造材１０から第一屋根材１１を通して上方に突出する部材などであってもよい。
【００７１】
上記実施形態の第二部材３２の被固着部３３０と、第一部材３１とを固着する固着具３５は、ナットに限られない。例えば、被固着部３３０に上下方向に貫通する孔を設け、この孔に挿通したボルトを第二部材３２に設けられた雌ねじ部にねじ込んで、被固着部３３０と第一部材３１とを固着してもよい。また、第二部材３２の被固着部３３０は、固着具３５を用いず、例えば係止により第一部材３１に固着されてもよい。
【００７２】
上記実施形態の第二部材３２は、下地材４の内側において回転不能であってもよい。すなわち、この場合、第二部材３２は下地材４の長手方向の端の開口部３２３から下地材４の内側に挿入される。
【００７３】
上記実施形態の取付孔３１４は、第一部材３１の挿通孔３１５と、第一部材３１とは別体の係止板３４に形成された係止孔３４０とで構成されているが、第一部材３１に形成された孔だけで構成されてもよい。
【００７４】
上記実施形態の第一部材３１の一対の係止片３４１は、第一部材３１と別体の係止板３４に形成されているが、第一部材３１に形成されてもよい。
【００７５】
また、この他、本実施形態の屋根構造、および取付具は、適宜設計変更可能である。
【００７６】
（効果）
以下、上述した実施形態に係る屋根構造および取付具の構成および効果について説明する。
【００７７】
第１の形態の屋根構造は、以下の構成を有する。第一屋根材１１、突出部１２３、取付具３、下地材４、および第二屋根材２１を備える。突出部１２３は、第一屋根材１１から上方に突出する。取付具３は、第一屋根材１１上に配置される。下地材４は、第一屋根材１１上に配置され、取付具３を介して突出部１２３に取り付けられる。第二屋根材２１は、下地材４上に配置され、下地材４に取り付けられる。取付具３は、第一部材３１と、第二部材３２とを備える。第一部材３１は、突出部１２３に取り付けられる。第二部材３２は、下地材４の下側に取り付けられる。第二部材３２は、被固着部３３０を備える。被固着部３３０は、下地材４の下方から下地材４よりも外側に突出する。被固着部３３０は、第一部材３１に固着される。
【００７８】
第１の形態の屋根構造によれば、作業者は、例えば以下のようにして、下地材４を第一屋根材１１から上方に突出した突出部１２３に固定できる。まず、作業者は、第一部材３１を突出部１２３に取り付ける。次に作業者は、第二部材３２を下地材４の下側に取り付ける。そして、作業者は、第一部材３１の被固着部３３０を第一部材３１に固着する。
【００７９】
また、第二部材３２の被固着部３３０は、下地材４に取り付けられた状態において、下地材４の下方から下地材４よりも外側に突出しているため、上述のように第二部材３２の被固着部３３０を第一部材３１に固着する場合に、被固着部３３０が下地材４によって隠れ難い。このため、作業者は、被固着部３３０を見ながら、被固着部３３０を第一部材３１に簡単に固着でき、施工性が良い。
【００８０】
第２の形態の屋根構造は、第１の形態の屋根構造において以下の付加的な構成を有する。被固着部３３０に、上下方向に貫通した貫通孔３３１が形成される。第一部材３１に、上方に突出した雄ねじ部３１３が設けられる。雄ねじ部３１３は貫通孔３３１に挿通される。雄ねじ部３１３の被固着部３３０より上方に突出した部分にナット（固着具３５）が螺合される。このナットにより被固着部３３０が第一部材３１に締結される。
【００８１】
第２の形態の屋根構造によれば、作業者は、下地材４に取り付けられた第二部材３２の被固着部３３０を見ながら、第一部材３１の雄ねじ部３１３を第二部材３２の貫通孔３３１に通すことができ、被固着部３３０を第一部材３１に簡単に固着できる。
【００８２】
第３の形態の屋根構造は、第１の形態または第２の形態の屋根構造において以下の付加的な構成を有する。下地材４はリップ溝形鋼である。下地材４は、下地材４の一対のリップ部４２の間に形成された溝開口４３を下方に向けて配置される。第二部材３２は、一対の嵌合溝３２７，３２８を備える。第二部材３２は下地材４の内側に嵌合される。一対のリップ部４２は、一対の嵌合溝３２７，３２８に上下方向の移動が規制された状態で嵌合される。
【００８３】
第３の形態の屋根構造によれば、作業者は、一対の嵌合溝３２７，３２８に一対のリップ部４２を嵌め込むことで、第二部材３２を下地材４に簡単に取り付けることができる。
【００８４】
第４の形態の屋根構造は、第３の形態の屋根構造において以下の付加的な構成を有する。第二部材３２は、溝開口４３から下地材４の内側に挿入可能であり、かつ下地材４の内側に挿入した状態で上下軸回り方向に回転可能である。第二部材３２の向きは、溝開口４３から下地材４の内側に挿入可能な向きから上下軸回り方向に９０度回転した向きである。
【００８５】
第４の形態の屋根構造によれば、作業者は、第二部材３２は、溝開口４３から下地材４の内側に挿入し、この後、第二部材３２を上下軸回り方向に９０度回転することで、第二部材３２を下地材４に簡単に取り付けることができる。
【００８６】
第５の形態の屋根構造は、第１〜第４の形態のいずれかの屋根構造において、以下の付加的な構成を有する。突出部１２３は、第一屋根材１１を第一屋根材１１の下方に位置する構造材１０に固定するためのボルト１２２で構成される。第一部材３１に、上下方向に貫通した取付孔３１４と、取付孔３１４の周縁部における対向する２箇所から取付孔３１４の内側に向かって突出した一対の係止片３４１とが形成される。取付孔３１４にボルト１２２が通されており、一対の係止片３４１の各々の先端部がボルト１２２のねじ溝に係合する。
【００８７】
第５の形態の屋根構造によれば、作業者は、一対の係止片３４１をボルト１２２のねじ溝に係合することで、第一部材３１をボルト１２２に簡単に取り付けることができる。また、例えば第一屋根材１１に別途ねじを貫通させてこのねじで第一部材３１を第一屋根材１１に対して固定する必要がない。このため、第一屋根材３１の下側である室内側に、第一屋根材１１の切粉などが落下しないクリーンな施工となる。
【００８８】
第６の形態の取付具は、以下の構成を有する。第一屋根材１１の上方に重ねて配置される第二屋根材２１の下地材４を、第一屋根材１１から上方に突出した突出部１２３に取り付けるための取付具３である。取付具３は、突出部１２３に取り付けられる第一部材３１と、下地材４の下側に取り付けられる第二部材３２とを備える。第二部材３２は、下地材４に取り付けられた状態において、下地材４の下方から下地材４よりも外側に突出し、第一部材３１に固着される被固着部３３０を備える。
【００８９】
第６の形態の取付具によれば、作業者は、取付具３を用いて、例えば以下のようにして、下地材４を第一屋根材１１から上方に突出した突出部１２３に固定できる。まず、作業者は、第一部材３１を突出部１２３に取り付ける。次に作業者は、第二部材３２を下地材４の下側に取り付ける。次に作業者は、第一部材３１の被固着部３３０を第一部材３１に固着する。
【００９０】
また、第二部材３２の被固着部３３０は、下地材４に取り付けられた状態において、下地材４の下方から下地材４よりも外側に突出しているため、上述のように第二部材３２の被固着部３３０を第一部材３１に固着する場合に、被固着部３３０が下地材４によって隠れ難くなる。このため、作業者は、被固着部３３０を見ながら、被固着部３３０を第一部材３１に簡単に固着でき、施工性が良い。
【符号の説明】
【００９１】
１０  構造材
１１  第１屋根材
１２２  剣先ボルト
１２３  突出部
２１  第二屋根材
３  取付具
３１  第一部材
３１３  雄ねじ部
３１４  取付孔
３２  第二部材
３２７  嵌合溝
３２８  嵌合溝
３３０  被固着部
３３１  貫通孔
３４１  係止片
３５  固着具
４  下地材
４２  リップ部
４３  溝開口
【図１】
2017155496.tif 000003
【図２】
2017155496.tif 000004
【図３】
2017155496.tif 000005
【図４】
2017155496.tif 000006
【図５】
2017155496.tif 000007
【図６】
2017155496.tif 000008
【図７】
2017155496.tif 000009